(57)【要約】  本開示は、ピラーに固定的に接続されたブラケット、及びブラケットに固定的に接続され、かつブラケットの外部表面を覆うガラスカバープレートを含む、乗り物のピラーの外部トリミング部材を提供する。ブラケットは、少なくともガラスカバープレートに向かって開いた受容空間を有する。外部トリミング部材は、受容空間に配置された電子部品を更に含む。外部トリミング部材は、耐擦傷性に優れているだけでなく、インテリジェントな機能も備えている。  【選択図】図３
2021535020.tif 000002
【特許請求の範囲】
【請求項１】
乗り物のピラー用外部トリミング部材であって、
前記ピラーに固定的に接続されたブラケット；及び
前記ブラケットに固定的に接続され、かつ前記ブラケットの外部表面を覆うガラスカバープレート；
を含み、
前記ブラケットが、少なくとも前記ガラスカバープレートに向かって開いた受容空間を含み、かつ
前記外部トリミング部材が、前記受容空間に配置された電子部品を更に含む、
外部トリミング部材。
【請求項２】
前記電子部品が、タッチスクリーン、ディスプレイスクリーン、又はタッチアンドディスプレースクリーンである、請求項１に記載の外部トリミング部材。
【請求項３】
前記電子部品は、乗り物のキーが予め定められた範囲内に入っていることを前記乗り物が検出するときに、アクティブになるように設定されている、請求項２に記載の外部トリミング部材。
【請求項４】
前記電子部品が、カメラ又はレーダーセンサーである、請求項１に記載の外部トリミング部材。
【請求項５】
前記電子部品が、乗り物の自動又は半自動運転システムに通信的に接続されている、請求項４に記載の外部トリミング部材。
【請求項６】
前記電子部品が、ランプアセンブリである、請求項１に記載の外部トリミング部材。
【請求項７】
前記ランプアセンブリは、明るくされたときに装飾パターン又は表示パターンを形成するように設定されており；あるいは、前記ガラスカバープレートは前記ブラケットに面する表面を含み、前記表面上に、前記ランプアセンブリの位置に対応するゾーンが、インク層で被覆されて、前記装飾パターン又は前記表示パターンに相補的なパターンを形成している、請求項６に記載の外部トリミング部材。
【請求項８】
前記ガラスカバープレートの外部表面が、撥水層で被覆されている、請求項１〜７のいずれか一項に記載の外部トリミング部材。
【請求項９】
前記電子部品が、接着剤又は溶接によって前記受容空間に固定されている、請求項１〜７のいずれか一項に記載の外部トリミング部材。
【請求項１０】
前記ブラケットが、カプセル化によって一体的に射出成形され、かつ前記ガラスカバープレートに固定的に接続されており；あるいは、前記ブラケットと前記ガラスカバープレートとが、接着剤及び／又はスナップフィットによって固定的に接続されている、請求項１〜７のいずれか一項に記載の外部トリミング部材。
【請求項１１】
前記ガラスカバープレートが、強化ガラス又は合わせガラスである、請求項１〜７のいずれか一項に記載の外部トリミング部材。
【発明の詳細な説明】
【技術分野】
【０００１】
本開示は、一般に、乗り物の部品の製造分野、より具体的には、乗り物の柱の外部トリミング部材に関する。
【背景技術】
【０００２】
乗り物は、通常、Ａピラー、Ｂピラー、Ｃピラー等のピラーを含み、各ピラーの乗り物の外部に面する側には、通常、外部トリミング部材が設けられている。従来の外部トリミング部材は、一般的に射出成形により、ＰＣ（ポリカーボネート）及びＰＭＭＡ（ポリメチルメタクリレート）等のプラスチック材料で作られている。しかしながら、プラス材料は耐擦傷性が低いため、乗り物の外観に関するユーザーの要求は通常満たすことができない。当技術分野でこの問題を解決するためにいくつかの解決策が提案されてきた。解決策の一つは、ガラスを使用して外部トリミング部材の外部表面を形成することである。ガラスは自然に優れた耐擦傷性を備えているため、外部トリミング部材の外観の問題を完全に解決できるからである。
【０００３】
しかしながら、乗り物のインテリジェントレベルが向上し続けるにつれて、外観要求に加えて、外部トリミング部材に特定のインテリジェント機能を持たせることが可能かどうかは、当業者の研究開発の関心事になっている。
【発明の概要】
【発明が解決しようとする課題】
【０００４】
本開示は、良好な耐擦傷性を有するだけでなく、追加のインテリジェント機能も有する、乗り物のピラー用外部トリミング部材を提供することを目的とする。
【課題を解決するための手段】
【０００５】
本開示の外部トリミング部材は、前記ピラーに固定的に接続されたブラケット；及び前記ブラケットに固定的に接続され、かつ前記ブラケットの外部表面を覆うガラスカバープレートを含む。前記ブラケットは、少なくとも前記ガラスカバープレートに向かって開いた受容空間を含み、かつ前記外部トリミング部材は、前記受容空間に配置された電子部品を更に含む。
【０００６】
本開示の文脈において、「外部表面」は、特に明記しない限り、乗り物の外部に面する構成要素の表面を指す。本開示は、ガラスカバープレートの伸長曲率を限定しない。すなわち、ガラスカバープレートは、平らなガラスであってもよく、湾曲したガラスであってもよい。本開示における受容空間は、少なくともガラスカバープレートに向かって開かれるべきである。ガラスカバープレートは電子部品の機能を妨げないので、このような構造は電子部品の機能を確実に実現することができる。本開示では、受容空間が他の方向に向かって開かれているかどうかに制限はない。例えば、受容空間はまた、同時に乗り物のピラーに向かって開いてよく、それにより、ブラケット内に貫通穴構造を形成し得る。
【０００７】
好ましくは、電子部品は、タッチスクリーン、ディスプレイスクリーン、又はタッチアンドディスプレースクリーンであり、乗り物のキーが予め定められた範囲内に入っていることを乗り物が検出するときに、アクティブになるように設定されてよく、これによって、ユーザーが使用するのに便利であり、消費電力を削減し、及び電子部品がタッチスクリーン又はタッチアンドディスプレイである場合に、正当なユーザー以外の人又は物体による誤ったトリガーを回避する。
【０００８】
好ましくは、電子部品は、カメラ又はレーダーセンサーであり、乗り物の自動又は半自動運転システムに通信的に接続されて、ピラーで感知された環境情報をリアルタイムで自動又は半自動運転システムに提供することができる。カメラを使用する場合、カメラはピラーでキャプチャされた周囲の画像情報を提供し、自動又は半自動運転システムは、画像情報から乗り物のピラー付近の環境状態を更に分析及び取得することができる。レーダーセンサーを使用する場合、レーダーセンサーは乗り物のピラーの近くの障害物の位置を検出し、それらを自動又は半自動運転システムに報告することができる。
【０００９】
電子部品がディスプレイスクリーン、タッチアンドディスプレースクリーン、又はカメラであり、かつガラスカバープレートの大部分の領域が特定のヘイズを有するか、着色されているか、又はインク層で被覆されている場合には、電子部品の表示効果又は画像捕捉性能を確保するために、電子部品の位置に対応するガラスカバープレートの領域を部分的に無色透明に維持する必要があることは、容易に理解できる。
【００１０】
好ましくは、電子部品は、ランプアセンブリである。ランプアセンブリは、明るくされたときに装飾パターン又は表示パターンを形成するように設定されている；あるいは、ガラスカバープレートはブラケットに面する表面を含み、その表面上に、ランプアセンブリの位置に対応するゾーンが、インク層で被覆されて、装飾パターン又は表示パターンに相補的なパターンを形成している。後者の場合、ランプアセンブリ自体は、その照明領域が装飾パターン又は表示パターンをカバーできる限り、特定のパターンを形成する必要はない。これにより、ランプアセンブリが明るくされると、インク層で被覆されたガラスカバープレートの領域は、ランプアセンブリから発する光を遮断し、それがガラスカバープレートを透過するのを防ぐ。一方、インク層で被覆されていないガラスカバープレートの領域は、ランプアセンブリから発生する光がガラスカバープレートを透過することを可能にし、それにより、ユーザーは、乗り物の外部から照らされた装飾パターン又は表示パターンを観察することができる。
【００１１】
好ましくは、ガラスカバープレートの外部表面は、撥水層で被覆されている、撥水層は、雨水や凝縮水がガラスカバープレートの表面に留まるのを防ぐことができる。電子部品がタッチスクリーンの場合、これにより、雨水や凝縮水がタッチスクリーンの感度を低下させるのを防げるだろう。電子部品がカメラやレーダーセンサーの場合、これにより、雨水や凝縮水がカメラで撮影した画像の鮮明さやレーダーセンサーの検出結果の精度に影響を与えるのを防げるだろう。電子部品がランプアセンブリの場合、これにより、雨水または凝縮水が装飾パターンまたは表示パターンの照明効果に影響を与えるのを防げるだろう。
【００１２】
好ましくは、電子部品は、接着剤又は溶接によって前記受容空間に固定されている。
【００１３】
好ましくは、ブラケットは、カプセル化によって一体的に射出成形され、かつガラスカバープレートに固定的に接続されており；あるいは、ブラケットとガラスカバープレートとは、接着剤及び／又はスナップフィットによって固定的に接続されている。カプセル化による射出成形の場合、ガラスカバープレートは予め作製され、次にブラケットを形成するために射出成形キャビティ内の所定の位置に配置される；次に、射出成形材料が射出成形キャビティに射出される；射出成形が終了すると、ブラケットが成形されると同時に、ガラスカバープレートに固定的に接続される。ブラケットが他の方法でガラスカバープレートに接続されている場合には、ブラケットは、射出成形材料で作られていなくてもよく、ブラケットは、ＣＮＣ（コンピューター数値制御）技術によって作製されてもよい。
【００１４】
好ましくは、ガラスカバープレートは、強化ガラス又は合わせガラスである。
【００１５】
本開示の更なる理解を提供するために含まれ、本明細書の一部を構成する添付の図面は、本開示を以下の実施形態とともに説明することを意図しており、本開示を限定するものではない。
【００１６】
図面は図面の縮尺ではないことを理解されたい。
【図面の簡単な説明】
【００１７】
【図１】図１は、本開示の実施形態１におけるブラケットの概略図である。
【図２】図２は、本開示の実施形態１におけるガラスカバープレートの概略図である。
【図３】図３は、本開示の実施形態１における組み立て状態のブラケット及びガラスカバープレートの概略図である。
【図４】図４は、乗り物のＢピラーに取り付けられた本開示の実施形態１の外部トリミング部材の概略図である。
【図５】図５は、本開示の実施形態３における外部トリミング部材の概略断面図である。
【図６】図６は、本開示の実施形態４におけるランプアセンブリの概略図である。
【図７】図７は、本開示の実施形態５におけるランプアセンブリの概略図である。
【図８】図８は、本開示の実施形態５において、インク層で被覆されたガラスカバープレートの概略図である。
【発明を実施するための形態】
【００１８】
実施形態１
図１〜４を参照して、本実施形態は、カメラを有する乗り物のＢピラー用の外部トリミング部材を提供する。図１は、外部トリミング部材のブラケット１を示す。ブラケット１の取り付け状態では、ブラケット１の乗り物の内部に面する側は、Ｂピラーに固定接続されており、ブラケット１の乗り物の外部に面する側は、実質的に、図２に示されたガラスカバープレート２で覆われている。これにより、ガラスカバープレート２は、外部トリミング部材の装飾面を形成する。
【００１９】
引き続き図１を参照して、ブラケット１には、カメラ３１を取り付けるための受容ホール１１が設けられている。但し、図１に示す状態では、カメラ３１は搭載されていない。図３に示された状態において、カメラ３１が受容ホール１１に取り付けられ、ブラケット１がガラスカバープレート２と組み立てられて、したがって、外部トリミング部材の作製が完成されている。図４は、乗り物のＢピラーに取り付けられた外部トリミング部材の概略図である。図３及び４において、カメラは、外部トリミング部材の最も外側で直接露出されていないが、ガラスカバープレート２によって覆われており、ガラスカバープレート２を通して見えるため、破線で示されている。
【００２０】
乗り物は、自動又は半自動運転システムを含み、運転システムは、カメラ３１に通信的に接続されている。これにより、カメラは、駆動システムの制御下でＢピラー付近の環境の画像を撮影することができ、これらの画像は、Ｂピラー付近のリアルタイムの環境状態を分析及び取得するために駆動システムに提供される。
【００２１】
この実施形態において、カメラ３１は、接着剤により受容ホール１１に固定されてもよく、溶接により受容ホール１１に固定されてもよい。
【００２２】
この実施形態において、ブラケット１は、カプセル化によってガラスカバープレート２と一体的に射出成形される。具体的には、ガラスカバープレート２を予め作製し、射出成形キャビティ内の所定の位置に配置する。次に、プラスチック材料が射出成形キャビティに射出されて、ブラケット１が形成される。ラケット１が成形されると、それはガラスカバープレート２に固定的に接続される。その後、カメラ３１は、受容ホール１１に取り付けられる。
【００２３】
しかしながら、ガラスカバープレート２をブラケット１に取り付ける方法は、カプセル化による射出成形に限定されない。以下の方法も使用できる。ブラケット１は、射出成形又はＣＮＣによって予め作製することができ、ガラスカバープレート２は、別個に作製することができる。次に、ブラケット１は、接着剤及び／又はスナップフィットによってガラスカバープレート２と組み立てられることができる。カメラ３１の取り付けは、ブラケット１及びガラスカバープレート２の組み立ての前又は後に行うことができる。
【００２４】
本実施形態において、ガラスカバープレート２は、強化ガラスでできている。ガラスカバープレート２は、合わせガラスでできていてもよい。ガラスカバープレート２が特定のヘイズを有するか、着色されているか、又はインク層で被覆されている場合には、カメラ３１の画像捕捉性能を確保するために、カメラ３１の位置に対応するガラスカバープレート２の領域を無色透明に維持する必要があることは、容易に理解できる。
【００２５】
本実施形態において、ブラケット１の材質はＡＢＳ（アクリロニトリル、ブタジエン及びスチレンのターポリマー）である。しかしながら、ブラケット１の材料はまた、例えば、ＰＰ（ポリプロピレン）、ＰＣ、ＰＡ６（ポリアミド６）、ＰＡ６６（ポリアミド６６）及びＧＦ（ガラス繊維）の組合せ、ＰＶＣ（ポリ塩化ビニル）又はＴＰＥ（熱可塑性エラストマー）等であってもよい。
【００２６】
本実施形態において、外部トリミング部材は、Ｂピラーに取り付けられているが、乗り物の他のピラーに取り付けられてもよい。
【００２７】
実施形態２
この実施形態は、実施形態１のカメラがレーダーセンサーに置き換えられているという点でのみ実施形態１とは異なる別の外部トリミング部材を提供する。レーダーセンサーは、Ｂピラーの近くの物体の位置を検出し、この情報を乗り物の自動又は半自動運転システムに報告することができる。
【００２８】
実施形態３
図５を参照して、この実施形態は、実施形態１のカメラがタッチスクリーン３２に置き換えられているという点で第１に実施形態１とは異なる別の外部トリミング部材を提供する。タッチスクリーンは静電容量式タッチスクリーンであるが、抵抗膜式タッチスクリーン又は既知の構造の他のタッチスクリーンであってもよい。
【００２９】
乗り物がロックされている場合、タッチスクリーンは、デフォルトで閉じた状態又は休止状態になっている。この実施形態の乗り物は、乗り物キー検出機能を有する。乗り物のキーが予め定められた範囲内に入っていることが検出されると、乗り物の制御システムがタッチスクリーンをアクティブにし、これによって、ユーザーは、Ｂピラーに接近するときに、タッチスクリーン３２を操作して、指紋認証の実施又は乗り物のドアの開放等のアクションを実行することができる。
【００３０】
この実施形態は、タッチスクリーンの使用に限定されず、タッチスクリーンは、特定のディスプレイ機能を達成するために、ディスプレイスクリーン又はタッチアンドディスプレースクリーンに置き換えることができる。ガラスカバープレート２が特定のヘイズを有するか、着色されているか、又はインク層で被覆されている場合には、良好な画像表示機能を確保するために、ディスプレイスクリーン又はタッチアンドディスプレースクリーンの位置に対応するガラスカバープレート２の領域を無色透明に維持する必要があることは、容易に理解できる。
【００３１】
引き続き図５を参照して、実施形態１に基づいて、この実施形態では、ガラスカバープレート２の外部表面は、撥水層４で被覆されている。撥水層４は、タッチスクリーン３２の感度を確保するために、雨水や凝縮水がガラスカバープレート２の外部表面に留まるのを防ぐことができる。
【００３２】
撥水層４は、本実施形態に適用できるだけではなく、本出願の他の実施形態にも適用することができ、それによって、雨水や凝縮水が受容ホール１１に取り付けられた電子部品の良好な作動に干渉又は影響を与えるのを防ぐことができる。
【００３３】
実施形態４
図６に示されたように、この実施形態は、実施形態１のカメラ３１がランプアセンブリ３３に置き換えられているという点でのみ実施形態１とは異なる別の外部トリミング部材を提供する。ライトアセンブリ３３は、複数のＬＥＤ３３１を含み、ブラケット１は、それぞれのＬＥＤを取り付けるための複数の受容ホール１１を有する。この実施形態において、ＬＥＤ３３１は、指示矢印形状を形成するように配置されている。しかしながら、例えば、ＬＥＤマトリックスを使用することもでき、ＬＥＤの一部は、ＬＥＤマトリックスの制御回路によって選択的に照明されて、様々な可変の指示パターン又は装飾パターンを形成する。
【００３４】
この実施形態は、ＬＥＤの使用に限定されず、他の光源を使用して、ランプアセンブリ３３を形成してもよい。
【００３５】
実施形態５
図７及び８に示されたように、この実施形態は、実施形態６とは次の点でのみ異なる別の外部トリミング部材を提供する：ＬＥＤは特定のパターンで配置する必要がなく、例えば、図７に示されたようにＬＥＤマトリックスを直接使用できる；更に、ブラケット１に面するガラスカバープレート２の内部表面は、インク層で被覆されている；かつインク層の被覆領域は、少なくともＬＥＤマトリックスの発光領域に対応する領域を含むべきであり、特にインク層は、矢印形状に相補的な形状を有する（図８を参照）。したがって、ＬＥＤマトリックスによって放出された光がガラスカバープレート２に到達すると、インク層のある領域２１は、光がガラスカバープレート２を透過するのを防ぎ、インク層のない領域２２は、光がそこを透過することを可能にし、それにより、乗り物の外部からＢピラーを観察するとき、明るくされた矢印の形状を観察することができる。
【００３６】
更に、ＬＥＤマトリックス自体が統合されたＬＥＤモジュールである場合には、実施形態は、サイズがＬＥＤモジュールと一致する１つの受容ホール１１のみを提供することができ、これにより、ＬＥＤモジュールは、内蔵コンポーネント（ｉｎｔｅｇｒａｔｅｄ  ｃｏｍｐｏｎｅｎｔ）として受容ホール１１に取り付けることができる。
【００３７】
当業者は、その本発明の概念から逸脱することなく、上記の実施形態に変更を加えることができることを理解されたい。したがって、本開示は、開示された特定の実施形態に限定されず、添付の特許請求の範囲によって定義される本開示の精神及び範囲内の修正をカバーすることを意図していることが理解される。
【図１】
2021535020.tif 000003
【図２】
2021535020.tif 000004
【図３】
2021535020.tif 000005
【図４】
2021535020.tif 000006
【図５】
2021535020.tif 000007
【図６】
2021535020.tif 000008
【図７】
2021535020.tif 000009
【図８】
2021535020.tif 000010
【国際調査報告】
2021535020.tif 000011
2021535020.tif 000012